(57)【要約】【課題】送風機が送出する空気を通流させて外部へ放出する通流路の路壁に装着されているイオン発生部を、既存の送風機が送出する空気にて掃除することができるイオン発生機を提供する。【解決手段】送風機が送出する空気を通流させて外部へ放出する通流路２１の路壁にイオン発生部４を装着し、前記空気の一部をイオン発生部４に向けて誘導する誘導体６を、誘導位置と非誘導位置との間で移動可能に設け、該誘導体６が誘導した空気にてイオン発生部４を掃除するようにした。【選択図】図８
2013029213.tif 000002
【特許請求の範囲】
【請求項１】
送風機が送出する空気を通流させて外部へ放出する通流路、及び該通流路の路壁に装着され、イオンを発生させるイオン発生部を備えるイオン発生機において、前記空気の一部を前記イオン発生部に向けて誘導する誘導体を備えることを特徴とするイオン発生機。
【請求項２】
前記誘導体は、前記空気を誘導する誘導位置と非誘導位置との間で移動可能である請求項１記載のイオン発生機。
【請求項３】
前記イオン発生部が発生したイオンの量を検出する検出部を備える請求項２記載のイオン発生機。
【請求項４】
前記誘導体を移動させる移動手段及び前記検出部が検出した検出値が所定値以下のとき、前記移動手段を動作させるための制御部を備える請求項３記載のイオン発生機。
【請求項５】
前記路壁は、前記通流路に開口し前記誘導体を配してある孔を有し、前記移動手段は、前記誘導体に接触する転動体及び該転動体を回動させる電動モータを有する請求項４記載のイオン発生機。
【請求項６】
前記誘導体は前記路壁に枢着されており、前記移動手段は、前記誘導体を枢動する電動モータを有する請求項４記載のイオン発生機。
【請求項７】
前記路壁は、前記通流方向と交差する方向へ貫通する第２孔を有し、前記イオン発生部は、前記通流方向と交差する方向に離隔して複数配してあり、前記イオン発生部夫々を保持する二つの保持部及び該保持部夫々を連結する連結部を有し、前記第２孔に挿脱可能に挿嵌してある保持体を備える請求項２から６のいずれか一つに記載のイオン発生機。
【発明の詳細な説明】
【技術分野】
【０００１】
本発明はイオン発生部が発生したイオンを、送風機が送出する空気とともに室内等の空間に放出するためのイオン発生機に関する。
【背景技術】
【０００２】
一般に、換気が少ない密閉された部屋、事務所、会議室等に大勢の人が集まった場合、呼吸とともに排出される二酸化炭素、煙草の煙、埃等の汚染微粒子が増加し、また、人が持ち込んだ浮遊細菌やウイルスの数が増加する。この場合、人体にとって好ましくない有害物質が空気中に発散され、多数浮遊するので、この有害物質の濃度を低く抑えるために、イオン発生機が使用されている。
【０００３】
イオン発生機は、送風機と、該送風機が送出する空気を通流させて外部へ放出する通流路を有するハウジングと、前記通流路の路壁に装着されイオンを発生させるイオン発生部とを備え、該イオン発生部が発生したイオン(正イオン・負イオン)を、通流路を通流する空気とともに室内に放出し、空気中に浮遊する細菌を除去したり、ウイルスを不活化するように構成されている（例えば、特許文献１参照）。
【０００４】
イオン発生部は、放電針及び該放電針に電圧を印加する電圧印加部を有し、放電針からコロナ放電現象によってイオンを発生させるように構成されているため、イオン発生部に埃などの異物が付着し易い。イオン発生部に異物が付着すると、イオン発生のための放電性が低下し、イオンの発生量が減少することになるため、イオン発生部を掃除する必要がある。
【０００５】
イオン発生機から外部へ放出される正イオンと負イオンとは、互いに引きあうため時間が経過するほど正イオンと負イオンとがぶつかり、中和されてしまう量も増加する。すると、室内に浮遊するイオンの量が減り、殺菌効果が低下してしまう。そのため、高濃度のイオンを発生し得るイオン発生素子の開発がすすめられ、また、発生したイオンを効率的に空気中に吹き出すための手法が特許文献１に開示されている。
【先行技術文献】
【特許文献】
【０００６】
【特許文献１】特開２００７−２９４９７号公報
【発明の概要】
【発明が解決しようとする課題】
【０００７】
近年、室内でのイオン濃度を高めるためには、送風機が送出する空気の通流路に配されるイオン発生部が発生するイオンの量を多くすることが考えられる。そのためには、イオン発生部の放電強度を高めたり、放電回数を増加させたりして、イオン発生効率を高めることが必要となる。
【０００８】
ところが、イオン発生機が発生するイオンの量を増やすことは、一方では放電部に付着する異物が短時間で蓄積する結果を生み、イオン発生機が空気中に放出するイオン濃度を長期間維持することが困難となるので、定期的にメンテナンス(放電針の掃除）する必要があり、手間がかかってしまう。
【０００９】
本発明は斯かる事情に鑑みてなされたものであり、主たる目的は、送風機が送出する空気を通流させて外部へ放出する通流路の路壁に装着されているイオン発生部に向けて前記空気の一部を誘導する誘導体を設けることにより、既存の送風機が送出する空気にてイオン発生部を掃除することができるイオン発生機を提供することにある。
【課題を解決するための手段】
【００１０】
本発明に係るイオン発生機は、送風機が送出する空気を通流させて外部へ放出する通流路、及び該通流路の路壁に装着され、イオンを発生させるイオン発生部を備えるイオン発生機において、前記空気の一部を前記イオン発生部に向けて誘導する誘導体を備えることを特徴とする。
【００１１】
この発明にあっては、既存の送風機が送出する空気を誘導体にてイオン発生部に衝突させ、イオン発生部を掃除することができるため、イオン発生効率を高めることができるとともに掃除を可能にするための構造を簡単にでき、簡易に掃除をすることができる。
【００１２】
また、本発明に係るイオン発生機は、前記誘導体は、前記空気を誘導する誘導位置と非誘導位置との間で移動可能である構成とするのが好ましい。
この発明にあっては、イオン発生部が掃除されるとき、非誘導位置から誘導位置へ誘導体が移動し、掃除を終えたとき、誘導体が誘導位置から非誘導位置へ移動するため、イオン発生時の誘導体による通流抵抗を低くすることができ、イオン発生効率を高めることができる。
【００１３】
また、本発明に係るイオン発生機は、前記イオン発生部が発生したイオンの量を検出する検出部を備える構成とするのが好ましい。
この発明にあっては、検出部が検出した検出値、ひいてはイオンの量に応じて誘導体を移動させるように構成することが可能であり、イオン発生部でのイオン発生量を安定化させ得る。
【００１４】
また、本発明に係るイオン発生機は、前記誘導体を移動させる移動手段及び前記検出部が検出した検出値が所定値以下のとき、前記移動手段を動作させるための制御部を備える構成とするのが好ましい。
この発明にあっては、イオン発生機の動作時間に関係なく、イオンの量が所定量以下のときにイオン発生部を自動的に掃除することができ、イオン発生部でのイオン発生量をより一層安定化させることができるとともに、掃除作業の手間をなくし得る。
【００１５】
また、本発明に係るイオン発生機は、前記路壁は、前記通流路に開口し前記誘導体を配してある孔を有し、前記移動手段は、前記誘導体に接触する転動体及び該転動体を回動させる電動モータを有する構成とするのが好ましい。
この発明にあっては、イオン発生部が掃除されるとき、通流路内へ誘導体が移動し、掃除を終えたとき、誘導体が通流路の外側へ移動するため、イオン発生時の誘導体による通流抵抗をより一層低くすることができ、イオン発生効率をより一層高めることができる。また、電動モータにて誘導体を簡易に移動させることができ、掃除作業性を高めることができる。
【００１６】
また、本発明に係るイオン発生機は、前記誘導体は前記路壁に枢着されており、前記移動手段は、前記誘導体を枢動する電動モータを有する構成とするのが好ましい。
この発明にあっては、誘導体の枢着部を支点として該誘導体が枢動されるため、誘導体を円滑に動作させるこができ、また、電動モータにて誘導体を簡易に駆動させることができ、掃除作業性を高めることができる。
【００１７】
また、本発明に係るイオン発生機は、前記路壁は、前記通流方向と交差する方向へ貫通する第２孔を有し、前記イオン発生部は、前記通流方向と交差する方向に離隔して複数配してあり、前記イオン発生部夫々を保持する二つの保持部及び該保持部夫々を連結する連結部を有し、前記第２孔に挿脱可能に挿嵌してある保持体を備える構成とするのが好ましい。
この発明にあっては、通流方向と交差する方向に離隔して配してある複数のイオン発生部を交換する際、誘導体を非誘導位置へ移動させた状態で保持体を第２孔から抜き出すことが可能であり、通流方向と交差する方向に離隔して配してある複数のイオン発生部の交換を簡易にできる。
【発明の効果】
【００１８】
本発明によれば、既存の送風機が送出する空気をイオン発生部に衝突させ、イオン発生部を掃除することができるため、掃除を可能にするための構造を簡単にでき、簡易に掃除をすることができる。
【００１９】
また、本発明によれば、イオン発生時の誘導体による通流抵抗を低くすることができ、イオン発生効率を高めることができる。
【図面の簡単な説明】
【００２０】
【図１】本発明に係るイオン発生機の構成を示す一部を分解した斜視図である。
【図２】本発明に係るイオン発生機の内部構造を示す斜視図である。
【図３】本発明に係るイオン発生機のイオン発生部部分の構成を示す斜視図である。
【図４】本発明に係るイオン発生機のイオン発生部の構成を示す斜視図である。
【図５】図３のV −V 線断面図である。
【図６】図３のVI−VI線断面図である。
【図７】本発明に係るイオン発生機の制御系の概略構成を示すブロック図である。
【図８】本発明に係るイオン発生機の誘導体の動作状態を示す説明図である。
【図９】本発明に係るイオン発生機の誘導体の動作で空気の通流が変化する状態を示す説明図である。
【図１０】本発明に係るイオン発生機の他の構成を示す断面図である。
【発明を実施するための形態】
【００２１】
以下本発明をその実施の形態を示す図面に基づいて詳述する。
実施の形態１
図１は本発明に係るイオン発生機の構成を示す一部を分解した斜視図、図２はイオン発生機の内部構造を示す斜視図、図３はイオン発生機のイオン発生部部分の構成を示す斜視図、図４はイオン発生機のイオン発生部の構成を示す斜視図、図５は図３のV −V 線断面図、図６は図３のVI−VI線断面図である。
【００２２】
図１に示したイオン発生機は、後面下部に吸込口１１を有し、上部に吹出口１２を有するハウジング１と、該ハウジング１内に内装されているケーシング２と、該ケーシング２内の下部に配されている送風機３と、ハウジング１内における送風機３及び吹出口１２間に配されているイオン発生部４と、該イオン発生部４を保持してある保持体５と、送風機３が送出する空気の一部をイオン発生部４へ誘導する誘導体６と、該誘導体６を誘導位置と非誘導位置との間で移動させるための移動手段７と、ハウジング１内におけるイオン発生部４及び吹出口１２間の通流路に配され、イオンの量を検出する検出部８とを備える。
【００２３】
ハウジング１は横断面略コ字形をなす前キャビネット１ａ及び横断面略コ字形をなす後キャビネット１ｂを有し、前キャビネット１ａ及び後キャビネット１ｂ間にケーシング２が配されている。前キャビネット１ａ及び後キャビネット１ｂの上面部に吹出口１２が開設されており、後キャビネット１ｂの後面下部に吸込口１１が開設されている。後キャビネット１ｂの後面下部には送風機３が吸込口１１から吸込む空気を通過させ、該空気中の異物を除去して清浄空気にするフィルタ１３ａを有するカバー１３が取付けられている。また、ハウジング１の上面部で、吹出口１２の一側には、運転用スイッチ等の複数のスイッチ及びランプ等の表示手段を含む操作部９が設けられている。
【００２４】
ケーシング２は、前後に離隔して対向する前壁２ａ、後壁２ｂ、前壁２ａ及び後壁２ｂ間の下部に配されている湾曲誘導壁２ｃと、該湾曲誘導壁２ｃの上端に連なる二つの側壁２ｄ，２ｅと、後壁２ｂの下端に連なる基台２ｆとを有し、上部が吹出口１２に開放されており、前壁２ａ、後壁２ｂ及び側壁２ｄ，２ｅ間に通流路２１が形成されている。一方の側壁２ｄは、湾曲誘導壁２ｃの一端から上方へほぼまっすぐに配され、他方の側壁２ｅは、湾曲誘導壁２ｃの他端から該湾曲誘導壁２ｃの内側に回転自在に配される羽根車の接線方向へ傾斜する傾斜部２ｇを有し、該傾斜部２ｇの上端から上方へほぼまっすぐに配されている。
【００２５】
一方の側壁２ｄの下部には保持体５を前後方向へ移動可能に支持する凹条部２２が設けられており、他方の側壁２ｅにおける傾斜部２ｇの下部には横方向へ貫通し、誘導体６の横方向への移動を案内する長孔２３が開設されている。後壁２ｂには凹条部２２に連なり、前後方向へ貫通する挿抜孔２４が開設され、前壁２ａには、凹条部２２に連なり、前方へ窪む凹所２５が設けられ、該凹所２５の奥面に給電用のコネクタ２６が設けられている。尚、長孔２３が孔を構成し、挿抜孔２４が第２孔を構成する。
【００２６】
長孔２３は、側壁２ｅに直接設けられる他、合成樹脂等の摩擦抵抗が少ない材料により枠形に形成された枠形部材が、側壁２ｅに開設される孔に嵌め込みにより固定される構成としてもよいし、また、短毛のブラシ体や、合成樹脂表面に植毛された部材が、側壁２ｅに開設される孔に嵌め込みにより固定される構成としてもよい。
【００２７】
送風機３は、ケーシング２の湾曲誘導壁２ｃ内に前後方向への回転軸３ａを中心として回転自在に収容されている羽根車３１と、該羽根車３１を駆動する電動モータ３２と、該電動モータ３２を支持する支持部３３とを有し、該支持部３３がケーシング２における前壁２ａの前面に取付けられている。電動モータ３２の出力軸は前壁２ａを貫通し、先端部に羽根車３１が固定されている。羽根車３１は図３、図５の矢印方向へ回転自在であり、羽根車３１の回転により送出される空気が、通流路２１を経て吹出口１２から外部へ放出される。また、羽根車３１の周方向１箇所での接線方向に傾斜部２ｇが配されている。
【００２８】
イオン発生部４、換言するとイオン発生素子は、ケーシング２の前壁２ａ及び後壁２ｂから通流路２１に臨む放電針４１、該放電針４１を囲繞する誘導電極環４２、放電針４１及び誘導電極環４２に電圧を印加する電圧印加部とを有し、電圧印加部が放電針４１及び誘導電極環４２に電圧を印加することにより、放電針４１がコロナ放電し、イオンを発生するように構成されている。イオン発生部４は図６に示すように前後に離隔して対向配置されている。また、イオン発生部４は正イオンを発生する正イオン発生部４ａ及び負イオンを発生する負イオン発生部４ｂを有し、イオン発生部４，４夫々の正イオン発生部４ａ及び負イオン発生部４ｂが横方向にほぼ等距離で離隔して配されている。
【００２９】
保持体５は、前後に離隔して対向配置される二つのイオン発生部４，４夫々を収容して保持する二つの保持部５１，５２及び該保持部５１，５２夫々を連結し、凹条部２２に移動可能に支持される連結部５３を有し、保持部５１，５２の二つの放電針４１，４１と対向する箇所に二つのイオン放出孔５４，５４が開設されており、イオン放出孔５４，５４同士が対向し、イオン放出孔５４，５４のほぼ中心に放電針４１が配されている。
【００３０】
一方の保持部５１は連結部５３と一体に成形され、該連結部５３の先端に他方の保持部５２が結合されている。連結部５３内には他方の保持部５２に保持されているイオン発生部４に給電するための導線及び該導線に接続されているコネクタが収容されている。一方の保持部５１の連結部５３側端部及び連結部５３は、挿抜孔２４から凹条部２２に移動可能に挿嵌され、一方の保持部５１が凹所２５に収容され、通流路２１の前後方向両側にイオン発生部４，４が対向配置されている。
【００３１】
連結部５３の保持部５１側の端部には、凹所２５内のコネクタ２６に接続されるコネクタ５５が設けられ、保持体５が挿抜孔２４から凹条部２２に挿嵌されたとき、コネクタ２６，５５同士が自動的に接続され、給電可能となるように構成されている。また、他方の保持部５２の連結部側には把持用の把持部が設けられている。
【００３２】
誘導体６は、イオン放出孔５４，５４の上端及び下端間の寸法よりも薄い厚さを有し、長孔２３に横方向への移動を可能に挿嵌される板体により形成されている。誘導体６は、二つのイオン発生部４，４の離隔距離よりも若干短い幅（例えば約８０％の幅）で、且つ通流路２１の横方向幅よりも長く、横方向に離隔して並置されたイオン放出孔５４，５４のすべてを横断する長さを有し、長手方向基端側が移動手段７に連動連結されている。また、通流路２１内の誘導位置へ進出移動したとき、通流路２１の中央側を遮るとともに幅方向両側端がイオン発生部４，４夫々の放電針３１と対向、換言するとイオン放出孔５４，５４の中心部と対向し、通流路２１を通流する空気の一部が誘導体６に衝突して該空気を両側のイオン発生部４，４へ誘導し、該イオン発生部４，４の放電針４１を掃除するようになし、通流路２１から非誘導位置へ後退移動したとき、長手方向先端部だけが長孔２３から通流路２１に突出し、誘導体６が通流路２１を通流する空気の通流抵抗にならないようになしてある。
【００３３】
移動手段７は、ケーシング２の側壁２ｅとハウジング１との間の空間に装着され、正逆回転が可能な電動モータ７１と、該電動モータ７１の出力軸に連動連結され、弾性を有する転動体としての駆動輪７２と、該駆動輪７２に対向し、駆動輪７２との間で誘導体６を弾性的に挾持する遊動輪７３とを備え、電動モータ７１の正回転により誘導体６を通流路２１内の誘導位置へ進出移動させ、電動モータ７１の逆回転により誘導体６を非誘導位置へ後退移動させるように構成されている。
【００３４】
イオンの量を検出する検出部８は、イオン発生部４，４が発生し、通流路２１を通流する空気中のイオンの量を検出するものであり、イオン吸着用の電極を有し、該電極の電圧の変化を検知することによりイオンの量を検出するように構成されており、通流路２１におけるイオン発生部４及び吹出口１２間の路壁に取付けられている。図６ではケーシング２における前壁２ａの通風路２１側に配されている。
【００３５】
図７はイオン発生機の制御系の概略構成を示すブロック図である。ＣＰＵ、プログラム等の情報を記憶するＲＯＭ、一時的に発生した情報を記憶するＲＡＭ及び時間を計時するためのタイマを有する制御部９０の入力部に、イオン発生機の運転／停止の入力操作を受け付けるための運転スイッチ９１と、入力操作にてイオン発生部４の掃除を開始させるか又はタイマによる時間の計時が終了したとき、自動的にイオン発生部４の掃除を開始させるかを選択する運転モード選択スイッチ９２と、時間の計時を始めるためのタイマスイッチ９３と、イオンの量を検出する検出部８とが接続され、制御部９０の出力部に、イオン発生部４の電圧印加部と、送風機３における電動モータ３２の駆動回路と、移動手段７における電動モータ７１の駆動回路と、操作の内容、運転状態等の情報を表示する表示部９４とが接続されている。
【００３６】
以上のように構成されたイオン発生機の運転動作について説明する。イオン発生機は吸込口１１が壁側となるように居住室内の壁の近くに据えられる。操作部９に配置されている運転スイッチ９１を操作することにより、イオン発生部４，４及び送風機３が運転を開始する。送風機３の羽根車３１は、図２及び図５に示すように電動モータ３２の出力軸を中心として反時計回りに回転する。羽根車３１によって吸込口１１からフィルタ１３ａを経て吸込まれた空気はケーシング２の湾曲誘導壁２ｃにより誘導されて上方の通流路２１へ送出される。
【００３７】
通流路２１の路壁で、前後方向に離隔して対向する２箇所には、正イオン発生部４ａ及び負イオン発生部４ｂを有する二つのイオン発生部４，４を配してあるため、これらイオン発生部４，４が通流路２１に沿って上方へ通流する空気中にイオンを発生させる。このイオンを含む空気が通流路２１を上方へ通流し、吹出口１２から居住室内に放出される。この際、イオン発生部４と吹出口１２との間に配してある検出部８にてイオンの量を検出することができる。
【００３８】
検出部８は、予め定められた時期にイオン検知電極に吸着したイオンの量から電圧の変化を検出し、その変化量から制御部９０はイオン発生部４，４が正常に働いているか否かを判断する。即ち、イオン発生部４，４の起動直後に一定の期間イオン検出動作を行い、その電圧変化の平均値からイオン発生部４，４が正常運転しているか否かを判定する。また、イオン発生機の運転中も所定の時間間隔で検出を行う。検出部８の検出結果が所定値以下である場合、制御部９０はイオン発生部４，４が正常運転でないことを判定し、移動手段７の電動モータ７１を駆動する。
【００３９】
イオン発生機を通常運転する場合、誘導体６は、移動手段７の電動モータ７１によって通流路２１の外側の非誘導位置に配置されて通流を妨げないようにされる。使用者の運転操作によってイオン発生機の運転が開始され、ケーシング２内に配されている送風機３の羽根車３１が回転することによって、ハウジング１の吸込口１１からケーシング２内に空気が吸込まれる。この吸込まれた空気は羽根車３１にて通流路２１へ送出され、イオン発生部４，４からイオンを付加される。イオンを付加された空気は、上部の吹出口１２から居住室内に放出される。
【００４０】
累積使用時間が長くなって、イオン発生部４，４の放電針４１に異物が付着して放電を妨げ、イオンの発生量が減少することによって、検出部８がイオンの量を所定量検知することができなくなった場合、または、運転中定期的にイオン発生部４，４をメンテナンスする場合の動作ついて説明する。
【００４１】
使用者の操作または制御部９０の計時機能によって累積使用時間が設定時間に達した場合、移動手段７の電動モータ７１が駆動され、清掃用の誘導体６が非誘導位置から誘導位置へ移動される。誘導体６は、前後方向に離隔して対向する２箇所のイオン発生部４，４の間に横方向への移動が可能に配されているため、誘導体６が通流路２１へ進出移動することにより、通流路２１のイオン発生部４間の中央側を遮る誘導位置に停止する。
【００４２】
図８はイオン発生機の誘導体６の動作状態を示す説明図、図９はイオン発生機の誘導体６の動作で空気の通流が変化する状態を示す説明図である。送風機３が回転駆動されることによって通流路２１へ送出された空気の一部は誘導体６に衝突し両側のイオン発生部４，４に向かって集中的に流動する。放電針４１に付着する異物は吸込み空気中の埃等であり比較的簡単に除去できるものであるため、集中的に流動した空気によって付着物が放電針４１からはがされ、吹出口１２から排出される。誘導体６は、予め設定された時間の経過後に再び電動モータ７１にて通流路２１から非誘導位置へ後退移動し、通流路２１での通流を妨げないようにされる。この間、付着した異物は極めて少量であるため、通常使用者が気付くことはないと思われるが、イオン発生部４，４の清掃中であることを表示手段で報知することが好ましい。表示手段としては、記号や文字表示を付したＬＥＤの点滅もしくはブザー音等の手段が使用される。
【００４３】
誘導体６は、使用者の利便性を考慮して、自動的に動作する構成とするのが好ましい。イオン発生機の起動時にイオンの量を検出し、その結果から判断して自動的に動作する構成とするのが使用者に対する負担を少なくすることができる。また、使用者の意向によって適宜動作できるように操作部９にスイッチを設けておくこともより一層好ましい。
【００４４】
本実施の形態１では、誘導体６は移動手段７によって横方向へ移動する構成としたが、これに限定されるものでない。例えば、移動手段７を廃止し、誘導体６の一部をハウジング１の外部へ突出させ、ハウジング１の外部から使用者が手で直接誘導体６を駆動することができるようにしてもよい。いずれにしても、本発明の趣旨を理解して実現できるものであれば同等の効果を発揮する。
【００４５】
実施の形態２
図１０は本発明に係るイオン発生機の他の構成を示す断面図である。このイオン発生機は、誘導体６を横方向へ移動可能とする代わりに、通流路２１に配される誘導体６ａを枢軸６１にて枢着し、該誘導体６ａを枢動する電動モータを備え、枢動により回転方向へ移動する構成としたものである。
【００４６】
誘導体６ａはイオン放出孔５４の上端及び下端間の寸法よりも薄い厚さを有し、略矩形をなす板体により形成されている。また、誘導体６ａは、二つのイオン発生部４，４の離隔距離よりも若干短い幅で、且つ通流路２１の横方向幅よりも若干短く、横方向に離隔して並置されたイオン放出孔５４，５４のすべてを横断する長さを有しており、保持部５１，５２と非対向の長手方向一端部が枢軸６１に結合されている。
【００４７】
枢軸６１はケーシング２の後壁２ｂに支持され、後壁２ｂとハウジング１との間の空間に装着された電動モータの出力軸に連動連結されている。電動モータは正逆回転が可能であり、電動モータの正回転により誘導体６ａを放電針４１と対向する誘導位置（清掃位置）へ回動させ、電動モータの逆回転により誘導体６ａを、羽根車３１の周方向１箇所の接線３ｂ方向となる非誘導位置（退避位置）へ回動させるように構成されている。
【００４８】
この実施の形態２にあっては、検出部８が検出したイオンの検出値に基づいて電動モータが正回転し、図１０実線の誘導位置（清掃位置）に誘導体６ａが枢動される。送風機３が回転駆動されることによって通流路２１へ送出された空気の一部は誘導体６ａに衝突し両側のイオン発生部４，４に向かって集中的に流動する。この集中的に流動した空気によってイオン発生部４，４の放電針４１部分を清掃することができる。
【００４９】
放電針４１部分を清掃した後、電動モータが逆回転し、清掃位置の誘導体６が図１０鎖線の非誘導位置（退避位置）に枢動され、通流路２１での通流を妨げないようにされる。
その他の構成及び作用は実施の形態１と同様であるため、同様の部品については同じ符号を付し、その詳細な説明及び作用効果の説明を省略する。また、検出部８の検出結果を制御部９０で判断して誘導体６を実施の形態１と同様に駆動する構成とすることも好ましい。さらには枢動用の電動モータを省いて、枢軸６１の一端部をハウジング１の外部に突出させ、ハウジング１の外部から枢軸６１を手で回動させ、誘導体６ａを回動させることができるようにしてもよい。
【００５０】
尚、以上説明した実施の形態では、横方向に離隔して対向する二つのイオン発生部４，４を備える構成としたが、その他、イオン発生部４は一つ又は三つ以上であってもよく、その個数は特に制限されない。また、イオン発生部４は通流路２１を通流する空気の通流方向へ離隔して並置される複数を備える構成としてもよい。
【００５１】
また、以上説明した実施の形態では、イオン発生部４の放電針４１と離隔して対向する位置に誘導体６，６ａを移動させる構成としたが、その他、誘導体６，６ａは放電針４１よりも送風機３側に配され、衝突した空気の一部を放電針４１部へ誘導する構成としてもよい。また、誘導体６，６ａは板状である他、非板状であってもよく、その形状は特に制限されない。
【００５２】
また、以上説明した実施の形態では、駆動輪７２及び遊動輪７３を有する移動手段７が誘導体６を移動させる構成としたが、その他、電動モータの出力軸に繋がるピニオン及びラックを有する移動手段、又は電磁ソレノイドを有する移動手段が誘導体６を移動させる構成としてもよい。
【００５３】
また、以上説明した実施の形態では、横方向への移動が可能な誘導体６、又は回転方向への移動が可能な誘導体６ａを備える構成としたが、その他、誘導体は非移動の構成であってもよい。この場合、例えばイオン発生部４を保持する保持体５から放電針４１と離隔して対向する側へ延出された比較的細い延出部の延出端に、比較的小形の誘導体を設け、通流路を上方へ通流する空気の一部が常時誘導体に衝突し、空気の一部を常時放電針４１部に向かって流動させ、誘導体による通流抵抗を小さくするように構成する。
【００５４】
また、本発明に係るイオン発生機は、冷房機能及び暖房機能の少なくとも一つを備える空気調和機に組み込まれてもよい。この場合、イオン発生機を備える空気調和機となる。
【産業上の利用可能性】
【００５５】
イオン発生機を備える空気調和機において、イオンを発生する電極に直接触れることなく気流の力で電極に付着する塵埃を除去し、イオン発生部の放電が良好に保たれイオンの発生量を多く維持することができるようにしたので、比較的大型の施設に設置することも可能である。また、電極に直接触れることがないので電極の損壊を防止でき、耐久性を高めることができる。また、清掃作業が自動的に行われるので使用者のメンテナンス回数を減少することができる。
【符号の説明】
【００５６】
２１  通流路
２３  長孔（孔）
２４  挿抜孔（第２孔）
３    送風機
４    イオン発生部
５    保持体
５１，５２  保持部
５３  連結部
６，６ａ  誘導体
７    移動手段
７１  電動モータ
７２  駆動輪（転動体）
８    検出部
【図１】
2013029213.tif 000003
【図２】
2013029213.tif 000004
【図３】
2013029213.tif 000005
【図４】
2013029213.tif 000006
【図５】
2013029213.tif 000007
【図６】
2013029213.tif 000008
【図７】
2013029213.tif 000009
【図８】
2013029213.tif 000010
【図９】
2013029213.tif 000011
【図１０】
2013029213.tif 000012